(57)【特許請求の範囲】
【請求項１】
ローラ支持枠体に多数のローラが一定間隔で支持され、パチンコ面板の前面及び背面に役物類、及び制御装置類がそれぞれ装着されたパチンコ台を載せて垂直姿勢を保持して搬送するローラ搬送装置と、当該パチンコ台の上端部を支持する上端支持装置とを備えたパチンコ台搬送装置であって、
前記ローラ搬送装置を構成するローラは、樹脂製であって、ローラ本体の軸方向の一端部のみに、前記パチンコ台の下端部の前面側が当接される鍔体が設けられ、
前記ローラ本体の外周部、及び鍔体の内側のテーパー部は、他の部分よりも軟質の樹脂により肉厚を有して形成されることで、当該ローラ本体及び鍔体は、それぞれ当該ローラ本体の軸直角方向及び軸方向に沿って硬度の異なる樹脂の二層構造に形成され、
前記上端支持装置は、パチンコ台の背面側のみを支持する構成であり、
前記パチンコ台の側面視における重心が前記パチンコ面板に対して背面側に位置していることにより、当該パチンコ台の前面側及び背面側の支持に関して、当該パチンコ台の下端部では、ローラ搬送装置の各ローラの鍔体により前面側のみが支持されると共に、その上端部では、上端支持装置により背面側のみが支持された状態で搬送可能にしたことを特徴とするパチンコ台搬送装置。
【請求項２】
請求項１に記載のパチンコ台搬送装置のローラ搬送装置を構成するローラであって、
ローラ本体の軸方向の一方の側のみに、前記パチンコ台の下端部の前面側が当接される鍔体が設けられて、前記ローラ本体の外周部、及び鍔体の内側のテーパー部は、他の部分よりも軟質の樹脂により所定肉厚を有して形成されることで、当該ローラ本体及び鍔体は、それぞれ当該ローラ本体の軸直角方向及び軸方向に沿って硬度の異なる樹脂の二層構造に形成されていることを特徴とするローラ搬送装置のローラ。
【請求項３】
主ローラ体と、当該主ローラ体よりも軟質の樹脂で形成されて、当該主ローラ体の外側に一体に形成された被覆体とから成り、
前記主ローラ体の軸方向の一端部には、第１鍔部が形成されていると共に、その他端部には、前記第１鍔部の突出長よりは短くて、前記被覆体の肉厚と同一の突出長を有する第２鍔部が一体に形成され、
前記被覆体は、円筒状の被覆体本体部の長手方向の一端部に、内側面が傾斜した傾斜鍔部が一体に形成されて、当該傾斜鍔部は、前記第１鍔部の突出長から自身の被覆体本体部の肉厚を減じた突出長を有しており、
前記主ローラ体の本体部の外側に前記被覆体が一体に嵌め込まれた形態となって、ローラ本体の軸方向の一端部のみに内側が傾斜した鍔体が一体に形成されていることを特徴とする請求項２に記載のローラ搬送装置のローラ。
【発明の詳細な説明】
【技術分野】
【０００１】
本発明は、パチンコ台を搬送するために、当該パチンコ台の組付けライン又は検査ラインに設置されるパチンコ台搬送装置、及びローラ搬送装置のローラに関するものである。
なお、本明細書において、「パチンコ台」とは、ベニヤ板等と称されるパチンコ面板の前面に遊技釘が打たれ、前面、及び背面に必要な役物類、及び制御装置類がそれぞれ装着され、外枠に嵌め込まれてパチンコ機となるユニット状態のものを指す。
【背景技術】
【０００２】
本発明の搬送対象であるパチンコ台が外枠に嵌め込まれたパチンコ機のローラ搬送装置として、特許文献１に記載のものがある。このローラ搬送装置は、多数のローラを支持するローラ支持枠における各ローラの直上に、前記パチンコ機の幅に対応した間隔をおいて一対の規制板（ガイド板）が搬送方向に沿って取付けられ、当該一対の規制板により、搬送されるパチンコ機の経路を確定している。しかし、このようにして、一対の規制体を設ける方式であると、パチンコ機の外側の下端部が前記一対のガイド板に接触して損傷される。これにより、新規に出荷されるパチンコ機の外観が害され、例え外枠の一部であっても、商品価値を低下させる。
【０００３】
外枠に嵌め込まれるパチンコ台の前面には、その下端にまで臨んだ状態で飾り枠が装着されており、しかも、パチンコ機のメーカー毎に、飾り枠の下端部の位置が僅かに異なっている。このため、パチンコ台の搬送に関しては、パチンコ機のローラ搬送装置のように、一対の規制板を使用することは、飾り枠を損傷させる問題の他に、飾り枠の下端部の位置がメーカーの機種毎に異なっていることからしても、難しい。
【０００４】
また、パチンコ台を構成するパチンコ面板は、ベニヤ板で構成されていたが、近年の木材資源の枯渇化が進むに従って、代替材料として樹脂が使用され、樹脂製のパチンコ面板が使用され始めており、樹脂製のパチンコ面板は、ベニヤ板より傷付けられ易い。
【０００５】
一方、パチンコ台は、パチンコ面板の背面側に制御装置類が大きく後方に突出して装着されているために、その重心は、側面視において、パチンコ面板よりも背面側に位置している。
【先行技術文献】
【特許文献】
【０００６】
【特許文献１】特開２００７−２０２９２０号公報
【発明の概要】
【発明が解決しようとする課題】
【０００７】
本発明は、パチンコ台の重心が側面視において背面側に偏っている点に着目して、パチンコ台の下端部を損傷せずに、しかも下端部の形状が多少異なるパチンコ台であっても、同一の搬送装置により搬送可能にすることを課題としている。
【課題を解決するための手段】
【０００８】
上記課題を解決するための請求項１の発明は、ローラ支持枠体に多数のローラが一定間隔で支持され、パチンコ面板の前面及び背面に役物類、及び制御装置類がそれぞれ装着されたパチンコ台を載せて垂直姿勢を保持して搬送するローラ搬送装置と、当該パチンコ台の上端部を支持する上端支持装置とを備えたパチンコ台搬送装置であって、前記ローラ搬送装置を構成するローラは、樹脂製であって、ローラ本体の軸方向の一端部のみに、前記パチンコ台の下端部の前面側が当接される鍔体が設けられ、前記ローラ本体の外周部、及び鍔体の内側のテーパー部は、他の部分よりも軟質の樹脂により肉厚を有して形成されることで、当該ローラ本体及び鍔体は、それぞれ当該ローラ本体の軸直角方向及び軸方向に沿って硬度の異なる樹脂の二層構造に形成され、前記上端支持装置は、パチンコ台の背面側のみを支持する構成であり、前記パチンコ台の側面視における重心が前記パチンコ面板に対して背面側に位置していることにより、当該パチンコ台の前面側及び背面側の支持に関して、当該パチンコ台の下端部では、ローラ搬送装置の各ローラの鍔体により前面側のみが支持されると共に、その上端部では、上端支持装置により背面側のみが支持された状態で搬送可能にしたことを特徴としている。
【０００９】
パチンコ台の側面視における重心は、パチンコ面板に対して背面側に偏っているため、非拘束状態で垂直配置されたパチンコ台は、背面側に向けて転倒する。請求項１の発明においては、パチンコ台の上記性質を利用することにより、当該パチンコ台の前面側及び背面側の支持に関して、パチンコ台の下端部では、ローラ搬送装置の各ローラの鍔体により前面側のみが支持されると共に、その上端部では、上端支持装置により背面側のみが支持された状態で搬送可能となる。即ち、パチンコの側面視における重心の背面側への偏りにより、上記方向にパチンコ台が傾斜して転倒しようとするのを、側面視においてパチンコ台に対して互いに反対側であって、その上下端部にそれぞれ配置されたローラの鍔体、及び上端支持装置で防止されながら、搬送されることになる。このため、ローラ搬送装置のローラは、その軸方向の一端部のみにパチンコ台の前面側が接触する鍔体が形成されているのみで足り、従来のローラのように、軸方向の両端部にそれぞれ鍔体を形成する必要はない。
【００１０】
そして、ローラ搬送装置を構成するローラにおけるパチンコ台の下端面が当接するローラ本体の外周部、及び当該パチンコ台の下端部の前面側が当接する鍔体の内側の傾斜鍔部は、いずれも他の部分よりも軟質の樹脂で形成されているため、パチンコ台の搬送時において、パチンコ台の上記部分がローラに当接しても、損傷されないか、仮に損傷されても、その程度は小さい。
【００１１】
また、ローラ搬送装置のローラには、軸方向の一端部のみに、パチンコ台の下端部の前面側を支持する鍔体が形成されていて、当該ローラの軸方向の他端部は、そのまま開放されて、パチンコ台は、非拘束状態となっているので、パチンコ台と非接触となって、当該パチンコ台が損傷されなくなると共に、請求項１の発明に係る同一のパチンコ台搬送装置によって、下端部の形状が多少異なる複数種類のパチンコ台の搬送が可能となる。
【００１２】
【００１３】
【００１４】
【００１５】
【００１６】
【００１７】
【００１８】
請求項２の発明は、請求項１に記載のパチンコ台搬送装置のローラ搬送装置を構成するローラであって、ローラ本体の軸方向の一方の側のみに、前記パチンコ台の下端部の前面側が当接される鍔体が設けられて、前記ローラ本体の外周部、及び鍔体の内側のテーパー部は、他の部分よりも軟質の樹脂により所定肉厚を有して形成されることで、当該ローラ本体及び鍔体は、それぞれ当該ローラ本体の軸直角方向及び軸方向に沿って硬度の異なる樹脂の二層構造に形成されていることを特徴としている。
【００１９】
請求項１の発明のパチンコ台搬送装置の特徴の一つは、当該パチンコ台搬送装置を構成するローラ搬送装置のローラに存在し、請求項２の発明は、請求項１の発明をローラ搬送装置のローラの面から把握して特定したものであるため、その作用効果は、請求項１の発明におけるローラ搬送装置のローラの部分の作用効果と同等である。
【００２０】
請求項３の発明は、請求項２の発明において、主ローラ体と、当該主ローラ体よりも軟質の樹脂で形成されて、当該主ローラ体の外側に一体に形成された被覆体とから成り、前記主ローラ体の軸方向の一端部には、第１鍔部が形成されていると共に、その他端部には、前記第１鍔部の突出長よりは短くて、前記被覆体の肉厚と同一の突出長を有する第２鍔部が一体に形成され、前記被覆体は、円筒状の被覆体本体部の長手方向の一端部に、内側面が傾斜した傾斜鍔部が一体に形成されて、当該傾斜鍔部は、前記第１鍔部の突出長から自身の被覆体本体部の肉厚を減じた突出長を有しており、前記主ローラ体の本体部の外側に前記被覆体が一体に嵌め込まれた形態となって、ローラ本体の軸方向の一端部のみに内側が傾斜した鍔体が一体に形成されていることを特徴としている。
【００２１】
請求項３の発明によれば、樹脂製の主ローラ体と、当該主ローラ体よりも軟質の樹脂で形成された被覆体とによって、ローラを構成するローラ本体及び鍔体におけるパチンコ台が直接に接触する部分のみを、ローラ本体よりも軟質の樹脂から成る被覆体で被覆された構造を実現できる。また、被覆体は、主ローラ体の第１及び第２の各鍔部の間に嵌め込まれた形態となるため、主ローラ体に対して被覆体が軸方向に微動するのを防止できる構造となる。
【００２２】
【００２３】
【００２４】
【００２５】
【００２６】
【００２７】
【００２８】
【００２９】
【発明の効果】
【００３０】
請求項１又は２の各発明によれば、ローラ搬送装置のローラは、樹脂製であって、ローラ本体の軸方向の一端部のみに、パチンコ台の下端部の前面側が当接される鍔体が設けられ、前記ローラを構成するローラ本体の外周部、及び鍔体の内側のテーパー部は、他の部分よりも軟質の樹脂により肉厚を有して形成されることで、当該ローラ本体及び鍔体は、それぞれ当該ローラ本体の軸直角方向及び軸方向に沿って硬度の異なる樹脂の二層構造に形成されているので、パチンコ台の側面視における重心が当該パチンコ台の背面側に偏っていることを利用することにより、当該パチンコ台が背面側に倒れようとする作用によって、当該パチンコ台の下端部のローラと接触する部分を損傷させることなく、当該パチンコ台を垂直姿勢を保持して安定して搬送できて、ローラの必要部分のみを、他の部分よりも軟質の樹脂で成形することにより、ローラとして必要な剛性を維持したままで、パチンコ台の下端部が直接に当接する部分が損傷されるのを効果的に防止できる。
【００３１】
また、ローラ搬送装置のローラには、軸方向の一端部のみに、パチンコ台の下端部の前面側を支持する鍔体が形成されていて、当該ローラの軸方向の他端部は、そのまま開放されて、パチンコ台は、非拘束状態となっているので、パチンコ台と非接触となって、当該パチンコ台が損傷されなくなると共に、請求項１の発明に係る同一のパチンコ台搬送装置によって、下端部の形状が多少異なる複数種類のパチンコ台の搬送が可能となる。
【図面の簡単な説明】
【００３２】
【図１】本発明に係るパチンコ台搬送装置Ａの斜視図である。
【図２】同じく側面図である。
【図３】図２のローラ搬送装置Ｔの側面拡大断面図である。
【図４】ローラ搬送装置Ｔの部分拡大斜視図である。
【図５】（ａ），（ｂ）は、それぞれローラ搬送装置Ｔを構成するローラＲ1 の斜視図及び断面図である。
【図６】ローラＲ1 の射出成形方法を示す成形型Ｆの断面図である。
【図７】（ａ），（ｂ）は、それぞれローラ搬送装置Ｔを構成する別のローラＲ2 の縦断面図及び横断面図である。
【発明を実施するための形態】
【００３３】
パチンコ台Ｐは、図１及び図２に示されるように、パチンコ面板１の前面側、及び背面側にそれぞれ役物類、及び制御装置類が装着されて、外枠に嵌め込まれてパチンコ機となるユニット状態のものである。図１及び図２に示されるパチンコ台Ｐは、パチンコ面板１の前面側（遊技面側）に遊技釘２が打たれて、その周囲に飾り枠３が装置され、背面側に制御装置類４が装着された状態のものである。パチンコ面板１を基準にして、背面側の制御装置類４は、前面側の役物類に比較して重量が大きくしかも、パチンコ面板１からの突出量が大きいので、図２に示されるように、側面視における重心Ｇの位置は、パチンコ面板１よりも制御装置類４が装着されている背面側に偏っている。従って、非拘束状態で垂直配置されたパチンコ台Ｐは、背面側に向けて転倒しようとする。
【００３４】
パチンコ台搬送装置Ａは、パチンコ台Ｐの製造ライン、或いは検査ラインに設置されて、前記パチンコ台Ｐを搬送する装置であって、図１ないし図４を参照して、詳細に説明する。図１は、本発明に係るパチンコ台搬送装置Ａの斜視図であり、図２は、同じく側面図であり、図３は、ローラ搬送装置Ｔの側面拡大断面図であり、図４は、ローラ搬送装置Ｔの部分拡大斜視図である。フレーム７０の中間棚部７１には、パチンコ台Ｐを起立姿勢で支持して搬送するローラ搬送装置Ｔが設置されている。ローラ搬送装置Ｔは、ローラ支持枠１１を構成する対向支持部１１ａの間に、パチンコ台Ｐの搬送方向Ｑと直交する方向に配置された多数のローラＲ1 が支持された構成である。本発明においては、ローラ搬送装置Ｔを構成するローラＲ1 に特徴を有している。
【００３５】
また、前記フレーム７０の左右一対の支柱７２に対して上端枠部７３が前記中間棚部７１と対向して片持ち状となって配置されている。上端枠部７３の先端部には、左右一対の吊ボルト７４を介してローラ支持部材７５が搬送方向Ｑに沿って吊り下げられ、当該ローラ支持部材７５の下面には、回転軸心を垂直にした多数の側面支持ローラ１２が搬送方向Ｑに沿って一定間隔をおいて設けられている。側面支持ローラ１２は、ローラ搬送装置Ｔの各ローラＲ1 で支持されて搬送されるパチンコ台Ｐの上端部を背面側から支持するローラ部材である。多数の側面支持ローラ１２の前面側には、当該各側面支持ローラ１２と対向して転倒防止板１３が搬送方向Ｑの全長に亘って配置されている。転倒防止板１３は、ローラ搬送装置Ｔの各ローラＲ1 で支持されたパチンコ台Ｐが前面側に転倒するのを防止する部材であって、前記ローラ支持部材７５に対してＬ字状をした複数の連結部材７６を介して連結されている。
【００３６】
ローラ搬送装置Ｔは、図１ないし図４に示されるように、ローラ支持枠１１の各対向支持部１１ａに多数本の支持軸１４が、パチンコ台Ｐの搬送方向Ｑに沿って一定間隔をおいて水平に固定支持され、当該支持軸１４に左右一対の軸受１５を介してローラＲ1 が回転可能に支持されている。支持軸１４の軸方向に対するローラＲ1 の配置位値は、当該ローラＲ1 に外嵌されたスペーサパイプ１６ａ，１６ｂにより定められる。ローラ搬送装置Ｔにおけるパチンコ台Ｐの搬送方向Ｑに沿った中央部には、駆動モータＭがローラ支持枠１１に収容された形態で配置され、当該駆動モータＭの駆動プーリ１７と、特定のローラＲ1 の複数のプーリー部２１のうち最も外側のプーリー部２１にベルト１８が掛装されて、当該特定のローラＲ1 が駆動される。当該特定のローラＲ1 の残りの２つのプーリー部２１と、前後の２つの各ローラＲ1 のプーリー部２１とには、ベルト１８が掛装されることにより、動力伝達されて、各ローラＲ1 は、駆動回転される。
【００３７】
次に、図５及び図６を参照して、ローラ搬送装置Ｔを構成するローラＲ1 、及びその成形方法について説明する。ローラＲ1 は、樹脂製であって、主ローラ体２０と、当該ローラＲ1 よりも軟質の樹脂で形成されて、当該主ローラ体２０の外側に一体に外嵌される被覆体３０とで構成される。主ローラ体２０は、軸方向の一端部に計３つのプーリー部２１が一体に形成されて、主ローラ体２０におけるプーリー部２１を除く本体部２０ａの両端部には、第１及び第２の各鍔部２２，２３が一体に形成され、主ローラ体２０の全体の中空部の両端部には、軸受嵌合部２４がそれぞれ設けられている。第１鍔部２２は、第２鍔部２３よりも突出長が大きい。主ローラ体２０のプーリー部２１、及び各鍔部２２，２３を除く本体部２０ａの外径は、プーリー部の底部の外径と同一になっていると共に、第２鍔部２３の外径は、プーリー部の山部の外径と同一となっている。
【００３８】
被覆体３０は、主ローラ体２０の第１及び第２の各鍔部２２，２３の間に嵌め込まれる形態となって、当該主ローラ体２０の本体部２０ａに一体となって外嵌されている。即ち、被覆体３０の肉厚は、主ローラ体２０の第２鍔部２３の突出長と同一である。被覆体３０の軸方向の一端部には、内側面が傾斜した傾斜鍔部３１が一体に形成され、当該傾斜鍔部３１の突出長は、前記主ローラ体２０の第１鍔部２２の突出長から、被覆体３０の肉厚を減じた長さである。従って、主ローラ体２０の本体部２０ａの外側に被覆体３０が外嵌された状態では、当該被覆体３０の被覆体本体部３２と、主ローラ体２０の第２鍔部２３の外周面とは、同一面となると共に、被覆体３０の傾斜鍔部３１及び主ローラ体２０の第１鍔部２２の各外周面は同一面となっている。
【００３９】
この結果、ローラＲ1 は、硬度の異なる二種類の樹脂で形成されて、主ローラ体２０及び被覆体３０の各本体部２０ａ，３２は、軸直角方向に沿って異なる二種類の樹脂で形成されたローラ本体４１を構成していると共に、主ローラ体２０の第１鍔部２２と被覆体３０の傾斜鍔部３１とで、当該ローラ本体４１の軸方向に沿って異なる二種類の樹脂で形成された鍔体４２を構成している。よって、ローラＲ1 は、ローラ本体４１の軸方向の一端部のみに鍔体４２が形成された構成となる。
【００４０】
上記したローラＲ1 は、被覆体３０を予め成形しておいて、固定型５１と可動型５２とで構成される樹脂の射出成形型のキャビティ５３のセット部５４に前記被覆体３０をセットすると共に、ローラＲ1 の中空部を成形する一対の中芯体５５ａ，５５ｂを前記キャビティ５３内に抜出可能にセットする。この状態で、当該キャビティ５３に、主ローラ体２０を成形するための前記被覆体３０よりも軟質の溶融樹脂を射出して硬化した後に、一対の中芯体５５ａ，５５ｂをキャビティ５３から脱出させて、固定型５１に対して可動型５２を分離させると、射出成形品であるローラＲ1 が成形される。主ローラ体２０の射出成形時には、その溶融樹脂が成形済の被覆体３０に直接に接することにより、当該被覆体３０の直接接触部は、部分的に溶融されて、主ローラ体２０を成形する樹脂と一体化されるために、成形後においては、予め成形されてキャビティ５３内にセットされた被覆体３０と、当該キャビティ５３における被覆体３０を除く部分に射出された樹脂により成形された主ローラ体２０とが一体化されるのである。なお、主ローラ体２０の第２鍔部２３によって、主ローラ体２０に対して被覆体３０が軸方向に微動不能となる。
【００４１】
実施例では、主ローラ体２０及び被覆体３０は、それぞれナイロン及びウレタン樹脂で成形されて、主ローラ体２０の有する剛性によって、ローラＲ1 の必要剛性を確保したうえで、パチンコ台Ｐが直接に接触する被覆体３０の硬度を主ローラ体２０よりも低くして、当該パチンコ台Ｐの損傷を防止できる構造を実現している。
【００４２】
そして、図１ないし図３に示されるようにして、パチンコ台Ｐをローラ搬送装置Ｔの各ローラＲ1 に載せて、その上端部の背面側を上端支持装置である複数の側面支持ローラ１２で支持しながら、各ローラＲ1 の駆動回転により、当該パチンコ台Ｐを搬送させると、側面視におけるパチンコ台Ｐの重心が背面側に偏っていて、当該パチンコ台Ｐは背面側に倒れようとする。この作用により、パチンコ台Ｐの下端部は、当該パチンコ台Ｐに対して側面支持ローラ１２と反対側に位置する鍔体４２に接触し、この状態が維持されながら搬送される。よって、パチンコ台Ｐの下端部は、その下端面が各ローラＲ1 の被覆体３０の本体部３２に順次接触すると共に、飾り枠３の下端コーナー部が、各ローラＲ1 の鍔体４２に順次接触した状態で搬送される。ローラＲ1 に対するパチンコ台Ｐの接触部分は、いずれも剛性の高い主ローラ体２０を成形する樹脂よりも軟質の樹脂で成形された被覆体３０に接触するために、接触に起因する損傷がなくなるか、或いは仮に接触しても、その程度は小さくなる。なお、パチンコ台Ｐの上端部は、その背面側のみが側面支持ローラ１２に接触して、その前面側は、非接触で搬送されるので、傷の目立ち易い前面側には、搬送に起因する傷は付かない。
【００４３】
上記実施例のローラＲ1 は、予め成形された被覆体３０を成形型内にセットして、主ローラ体２０を射出成形することにより、当該主ローラ体２０と被覆体３０との一体性を高めたものであるが、図７に示されるローラＲ2 は、スプライン溝構造と接着との双方によって、主ローラ体２０’と被覆体３０’とを一体化させてある。即ち、主ローラ体２０’におけるローラ本体部分は、スプライン軸状に加工されてスプライン軸部６１となっていると共に、被覆体３０’の内周部は、スプライン溝状に加工されてスプライン溝部６２となっている。別々に成形された主ローラ体２０’の本体部分の外側にスプライン軸部６１と、被覆体３０’のスプライン溝部６２との嵌合と、接着との双方によって、一体に組み付けられた構成である。また、被覆体３０’における傾斜鍔部３１’と反対側の端面には、リング体６３が当てがわれ、被覆体３０’は、主ローラ体２０’の軸方向の端部外側に嵌着されたスナップリング６４により、抜け出しが防止されている。
【００４４】
上記実施例では、主ローラ体２０及び被覆体３０は、それぞれナイロン及びウレタン樹脂で成形された例を示したが、主ローラ体２０がローラとして必要な剛性を有すると共に、被覆体３０は、直接に当接するパチンコ台Ｐの下端部を損傷させない程度の硬度であることの条件を満たしていれば、主ローラ体２０及び被覆体３０の樹脂材料の組み合せは、上記に限定されない。
【００４５】
また、上記各実施例のローラＲ1 ，Ｒ2 は、いずれも被覆体３０，３０’におけるパチンコ台Ｐの前面側が当接する端部のみに鍔体４２，４２’が設けられた構成であるが、軸方向の両端部に鍔体が設けられたローラを用いることも可能である。この場合においても、側面視においてパチンコ台Ｐの重心が背面側に偏っていることにより、搬送中には、パチンコ台Ｐの前面側のみが一方の鍔体に当接することになる。鍔体が両端部に設けられたローラにおいては、予め形成された被覆体を成形型内にセットして主ローラ体を射出成形して、両者を一体化する上記した射出成形方法が有効となる。
【００４６】
また、パチンコ台Ｐの上端部を支持する上端支持装置に関しても、上記理由により、背面側を支持するのみで足りるが、安全のために、前面側も支持することは可能である。
【符号の説明】
【００４７】
Ａ：パチンコ台搬送装置
Ｇ：側面視におけるパチンコ台の重心
Ｐ：パチンコ台
Ｑ：パチンコ台の搬送方向
Ｒ1 ，Ｒ2 ：ローラ搬送装置のローラ
Ｔ：ローラ搬送装置
１：パチンコ面板
２：遊技釘（役物類）
３：飾り枠（役物類）
４：制御装置類
１１：ローラ支持枠
１２：側面支持ローラ（上端支持装置）
１３：転倒防止板
２０：主ローラ体
２０ａ：主ローラ体の本体部
２１：プーリー部
２２：第１鍔部
２３：第２鍔部
３０：被覆体
３１：傾斜鍔部
３２：被覆体本体部
４１：ローラ本体
４２：鍔体
５１：固定型（成形型）
５２：可動型（成形型）
５３：キャビティ
【図１】
0005639102.tif 000002
【図２】
0005639102.tif 000003
【図３】
0005639102.tif 000004
【図４】
0005639102.tif 000005
【図５】
0005639102.tif 000006
【図６】
0005639102.tif 000007
【図７】
0005639102.tif 000008